(57)【要約】【課題】反発型磁気回路の利点を担保しながら、十分な振幅の確保、磁石の高温減磁の発生を防ぐこと、磁気ギャップにおける磁束分布の対称性を確保し、良好な音響特性を得る。【解決手段】反発型磁気回路で、底面部１０Ａと外周部１０Ｂとを有するヨーク１０と、底面部１０Ａ上に載置される第１の磁石１１と、第１の磁石１１上に載置されるポールピース１２と、ポールピース１２上に載置される第２の磁石１３と、第２の磁石１３上に載置されるトッププレート１４と、ヨーク１０の外周部１０Ｂ上に載置されるプレート１５とを備え、トッププレート１４は、その外径がポールピース１２の外径よりも小さく形成され、プレート１５の内周面はヨーク１０の外周部１０Ｂ内面より磁気ギャップＧ側に突出している。【選択図】図２
2008278235.tif 000002
【特許請求の範囲】
【請求項１】
底面部と外周部とを有するヨークと、前記底面部上に載置される第１の磁石と、該第１の磁石上に載置されるポールピースと、該ポールピース上に載置される第２の磁石と、該第２の磁石上に載置されるトッププレートと、前記ヨークの外周部上に載置されるプレートとを備え、
前記第１の磁石と前記第２の磁石とは、載置方向に向けて互いに逆向きに着磁されており、
前記ポールピースの外周面と前記プレートの内周面間にボイスコイルが配置される磁気ギャップが形成され、
前記トッププレートは、その外径が前記ポールピースの外径よりも小さく形成され、
前記プレートの内周面は前記ヨークの外周部内面より前記磁気ギャップ側に突出していることを特徴とするスピーカ用磁気回路。
【請求項２】
前記プレートの上面は前記ポールピースの上面より前記トッププレート側に載置されることを特徴とする請求項１に記載されたスピーカ用磁気回路。
【請求項３】
前記第２の磁石は複数の磁石を積層配置してなることを特徴とする請求項１又は２に記載されたスピーカ用磁気回路。
【請求項４】
前記複数の磁石間には、金属層が配置されていることを特徴とする請求項１に記載のスピーカ用磁気回路。
【請求項５】
前記金属層の少なくとも１つは、その熱伝導率が前記第２の磁石の熱伝導率より大きいことを特徴とする請求項４に記載のスピーカ用磁気回路。
【請求項６】
前記金属層の少なくとも１つは、その電気伝導率が前記第２の磁石の電気伝導率より大きいことを特徴とする請求項４に記載のスピーカ用磁気回路。
【請求項７】
前記複数の磁石のうち、少なくとも一つの磁石は、その表面に金属層が形成されていることを特徴とする請求項３に記載のスピーカ用磁気回路。
【請求項８】
前記複数の磁石は、少なくともフェライト系磁石と希土類系磁石とを有することを特徴とする請求項３に記載のスピーカ用磁気回路。
【請求項９】
前記第１の磁石は複数の磁石を積層配置してなることを特徴とする請求項１に記載のスピーカ用磁気回路。
【請求項１０】
底面部と外周部とを有するヨークと、前記底面部上に載置される第１の磁石と、該第１の磁石上に載置されるポールピースと、該ポールピース上に載置される第２の磁石と、該第２の磁石上に載置されるトッププレートと、前記ヨークの外周部上に載置されるプレートとを備え、前記ポールピースの外周面と前記プレートの内周面間に磁気ギャップが形成される磁気回路と、
前記磁気ギャップ内に配置されるボイスコイルと、
前記ボイスコイルによって駆動される振動体と、を具備し、
前記第１の磁石と前記第２の磁石とは、載置方向に向けて互いに逆向きに着磁されており、
前記トッププレートは、その外径が前記ポールピースの外径よりも小さく形成され、
前記プレートの内周面は前記ヨークの外周部内面より前記磁気ギャップ側に突出していることを特徴とするスピーカ。
【発明の詳細な説明】
【技術分野】
【０００１】
本発明は、スピーカ用磁気回路及びスピーカに関するものである。
【背景技術】
【０００２】
図１は、例えば下記特許文献１に記載された従来の反発型磁気回路を説明する説明図（同図（ａ）全体断面図、同図（ｂ）要部拡大断面図）である。この従来技術は、ポールピースＪ１の上下面に互いに反発する方向に着磁された磁石Ｊ２，Ｊ３を接合すると共に、ポールピースＪ１上の磁石Ｊ２上にプレートＪ４を設け、ポールピースＪ１の下面の磁石Ｊ３をその高さがポールピースＪ１の頂面を超えない高さの円筒状のヨークＪ５の内底部上に接合し、このヨークＪ５の内周部とポールピースＪ１の外周部とで磁気ギャップＪＧを形成したものであり、この磁気ギャップＪＧ内にボイスコイルボビンＪ６の外周に巻き回されたボイスコイルＪ７を配置するものである。
【０００３】
この反発型磁気回路は、磁石Ｊ３による磁力線ｍ１と磁石Ｊ２による磁力線ｍ２とによって磁気ギャップＪＧ内の磁束密度を高めてスピーカの駆動力を向上させるために、複数の磁石Ｊ２，Ｊ３を配備したものであるが、ポールプレートＪ１上の磁石Ｊ２をボイスコイルボビンＪ６内の空きスペースに配置できることから、スピーカ全体の薄型化が可能になる利点が得られる。
【特許文献１】特許第３０３５４１４号
【発明の開示】
【発明が解決しようとする課題】
【０００４】
前述した従来の反発型磁気回路によると、図１（ｂ）に示すように、符号Ａで示したプレートＪ４の近傍での磁束の向きが、磁気ギャップＪＧにおける磁束の向き（符号Ｂ参照）と略逆向きになるので、ボイスコイルのＪ７の振動に対してプレートＪ４の近傍では大きな制動力が作用することになる。したがって、従来の反発型磁気回路では、ボイスコイルＪ７を大きく振動させる場合（例えば低音大出力時）には十分な振幅を得ることができず、大きな音声電流入力に対して所望の音響出力を発生できない問題がある。
【０００５】
また、ボイスコイルＪ７の振動径路の近傍にプレートＪ４の側面が面しているので、ボイスコイルＪ７のジュール熱が輻射熱としてプレートＪ４に伝わり、プレートＪ４下に接合された磁石Ｊ２の温度が上昇することになり、高温状態に晒された際に磁力が低下する高温減磁が磁石Ｊ２に発生し、磁気回路の駆動力低下を招く問題が生じる。
【０００６】
更には、磁気ギャップＪＧに直接ヨークＪ５の側部が面しているので、ボイスコイルＪ７のジュール熱が輻射熱としてヨークＪ７に伝わり、ヨークの内底部上に接合された磁石Ｊ３の温度が上昇するので、磁石Ｊ３にも高温状態に晒された際に磁力が低下する高温減磁が発生し、更に駆動力の低下を招く問題が生じる。また、磁石Ｊ３はポールピースＪ１にも接しているので、ポールピースＪ１からの熱も伝わり、更に高温減磁が生じやすい状態になっている。
【０００７】
また、従来の反発型磁気回路では、図１（ｂ）に示すように、ポールピースＪ１からヨークＪ５の側部に至る磁束ｍ１とポールピースＪ１からヨークＪ５の頂部に至る磁束ｍ２とでは磁力線の態様が異なることになり、磁気ギャップＪＧの上と下とでは磁束分布の対称性が得られない。このため、ボイスコイルＪ７の受ける電磁気力（ローレンツ力）の大きさが磁気ギャップＪＧ内で異なり、ボイスコイルＪ７の振動にむらが生じて異常振動が生じやすくなると共に、駆動力のばらつきによって所望の振幅が得られず、良好な音響特性が得られない等の問題が生じる。
【０００８】
また、ボイスコイルに、ボイスコイルに流す音声電流によって生じる磁界が作用し、これによって高調波歪みが生じ、音響特性が低下する（この現象は、電流歪みと称されている）問題も生じる。
【０００９】
本発明は、このような問題に対処することを課題の一例とするものである。すなわち、反発型磁気回路の利点を担保しながら、十分な振幅の確保、磁石の高温減磁の発生を防ぐこと、磁気ギャップにおける磁束分布の対称性を確保し、良好な音響特性を得ること、電流歪みを解消すること、等が本発明の目的である。
【課題を解決するための手段】
【００１０】
このような目的を達成するために、本発明によるスピーカ用磁気回路及びスピーカは、以下の各独立請求項に係る構成を少なくとも具備するものである。
【００１１】
［請求項１］底面部と外周部とを有するヨークと、前記底面部上に載置される第１の磁石と、該第１の磁石上に載置されるポールピースと、該ポールピース上に載置される第２の磁石と、該第２の磁石上に載置されるトッププレートと、前記ヨークの外周部上に載置されるプレートとを備え、前記第１の磁石と前記第２の磁石とは、載置方向に向けて互いに逆向きに着磁されており、前記ポールピースの外周面と前記プレートの内周面間にボイスコイルが配置される磁気ギャップが形成され、前記トッププレートは、その外径が前記ポールピースの外径よりも小さく形成され、前記プレートの内周面は前記ヨークの外周部内面より前記磁気ギャップ側に突出していることを特徴とするスピーカ用磁気回路。
【００１２】
［請求項１０］底面部と外周部とを有するヨークと、前記底面部上に載置される第１の磁石と、該第１の磁石上に載置されるポールピースと、該ポールピース上に載置される第２の磁石と、該第２の磁石上に載置されるトッププレートと、前記ヨークの外周部上に載置されるプレートとを備え、前記ポールピースの外周面と前記プレートの内周面間に磁気ギャップが形成される磁気回路と、前記磁気ギャップ内に配置されるボイスコイルと、前記ボイスコイルによって駆動される振動体と、を具備し、前記第１の磁石と前記第２の磁石とは、載置方向に向けて互いに逆向きに着磁されており、前記トッププレートは、その外径が前記ポールピースの外径よりも小さく形成され、前記プレートの内周面は前記ヨークの外周部内面より前記磁気ギャップ側に突出していることを特徴とするスピーカ。
【発明を実施するための最良の形態】
【００１３】
以下、本発明の実施形態を図面に基づいて説明する。図２は本発明の一実施形態に係るスピーカ用磁気回路を示す説明図（同図（ａ）が全体断面図、同図（ｂ）が要部説明図）である。
【００１４】
このスピーカ用磁気回路は、底面部１０Ａと外周部１０Ｂとを有するヨーク１０と、底面部１０Ａ上に載置される第１の磁石１１と、第１の磁石１１上に載置されるポールピース１２と、ポールピース１２上に載置される第２の磁石１３と、第２の磁石１３上に載置されるトッププレート１４と、ヨーク１０の外周部１０Ｂ上に載置されるプレート１５とを備えている。そして、第１の磁石１１と第２の磁石１２とは、載置方向に向けて互いに逆向きに着磁されており、ポールピース１２の外周面とプレート１５の内周面間にボイスコイルＶｃが配置される磁気ギャップＧが形成され、トッププレート１４は、その外径Ｄ２がポールピースの外径Ｄ１よりも小さく形成され、プレート１５の内周面はヨーク１０の外周部１０Ｂ内面より磁気ギャップＧ側に突出している。ボイスコイルＶｃはボイスコイルボビン１６の周りに巻き回されて、ボイスコイルボビン１６内の空間に、第２の磁石１３及びトッププレート１４が積層配置されている。このスピーカ用磁気回路によると、第１の磁石１１による磁力線ｍ１と第２の磁石による磁力線ｍ２が磁気ギャップＧに作用することになる。
【００１５】
このような構造のスピーカ用磁気回路によると、図２（ｂ）に示すように、磁気ギャップＧの延長空間（点線で示される空間）からトッププレート１４の外周面がＤｓだけ離れることになるので、磁気ギャップＧ及びその延長空間内を振動するボイスコイルに対して、プレート１５からトッププレート１４に至る磁力線が斜めに横切ることになる。これによって、磁気ギャップＧの延長空間では磁気ギャップＧにおける磁束方向と逆向きの磁束成分が小さくなって、ボイスコイルの振動に加えられる制動力を低減させることができる。
【００１６】
更に、間隔Ｄｓを設けることで、スピーカの振動系が真っ直ぐに上下振動しないローリングが生じた場合にも、ボイスコイルボビン１６とポールピース１２との間隔が大きくなっているので、両者が接触して振動不良を引き起こすことを回避することができる。
【００１７】
また、間隔Ｄｓを設けることで、磁気ギャップＧ及びその延長空間を振動するボイスコイルからトッププレート１４を離間させて、ボイスコイルから発生するジュール熱の輻射熱をトッププレート１４に伝わり難くしている。これによって、トッププレート１４の下に配置された第２の磁石１３の温度が大きく上昇することはなく、第２の磁石１３の高温減磁による駆動力低下を防止することができる。
【００１８】
更には、ヨーク１０の外周部上にプレート１５を配置することで、プレート１５の伝熱特性を低くする設定することによって、ボイスコイルのジュール熱がヨーク１０に伝わるのを抑えることができ、ヨーク１０を介して第１の磁石１１が加熱されるのを防止することができる。これによって、第１の磁石１１の高温減磁による駆動力低下をも防止することができる。
【００１９】
プレート１５は、図示のように径方向の肉厚がプレート厚みより大きくなるようにすることで、磁気ギャップＧに磁束を集中させることができる。また、プレート内径側の下側に段差部１５ａを設けることで、ヨーク１０の外周部１０Ｂ上に確実に勘合して、位置決めを容易に行うことができる。
【００２０】
また、プレート１５の内周面をヨーク１０の外周部内面より磁気ギャップＧ側に突出させているので、ポールピース１２外周面からプレート１５の内周面に至る磁束の直線性が確保され、磁気ギャップＧにおける磁束が上下略対称に分布することになる（図２（ｂ）参照）。これによって、ボイスコイルの受ける電磁気力（ローレンツ力）の大きさが磁気ギャップＧ内位置でほぼ均一になり、ボイスコイルをむらなく振動させることができる。また駆動力のばらつきがなくなるので、異動振動を回避し、良好な音響特性を得ることができる。
【００２１】
プレート１５の厚みは、径方向の肉厚よりも大きくすることもできる。この場合には、磁気ギャップＧを形成するための突出部１５ｂの高さがプレート１５の厚みによって大きくなる。そのため、大きな音を再生するようなスピーカに適用した場合、ボイスコイルが大きく振動しても、ボイスコイルに磁束が作用する領域、すなわち磁気ギャップ幅（振動方向）が大きくなり、磁気回路の駆動力が振幅に依らず一定になり、再生音の歪みを低減することができる。
【００２２】
また、ヨーク１０上にプレート１５を配置することで、さらにプレート１５とヨーク１０とを非導電性の材料、例えば接着剤等により電気的に絶縁することで、プレート１５に誘導電流を発生させることができ、これによってして、高調波歪みの発生を抑え、音響特性を向上させることができる。
【００２３】
本発明の実施形態では、前述したように、ボイスコイルに作用する制動力を低減できることに加えて、高調波歪みの発生を抑えることができるので、ボイスコイルに大きな音声電流を流しても、ボイスコイルの振幅を十分に大きく得ることができ、更には、音声電流が発生する磁束が大きくなっても、プレート１５の存在によって高調波歪みを抑制できるので、結果として、大音量で再生させる際、低域又は中域での音響特性を大きく改善することができる。
【００２４】
本発明の実施形態は、前述した特徴に加えて、プレート１５の上面はポールピース１２の上面よりトッププレート１４側に載置されることを特徴としている。すなわち、図２（ａ）に示すように、プレート１５がポールピース１２より高さｈ１だけ高く配置されている。
【００２５】
これによると、プレート１５をトッププレート１４に近づけることで、磁束ｍ２を形成する反発磁気回路のパーミアンス係数（磁束密度／磁束）を大きくできる。そのため、トッププレート１４とポールピース１２との間に配置される第２の磁石１３における動作点を大きくできる。一方、磁石１３の厚みを大きくすることによっても、磁石１３の動作点を大きくすることができる。しかしながら、磁石１３の厚みを大きくしても、その割には磁気ギャップＧ内の磁束密度はさほど大きくならないので、磁気ギャップＧ内の磁束密度を大きくできるという点からすると、第２の磁石１３における動作点を大きくするためには、プレート１５をトッププレート１４に近づけるほうがより好ましい。
【００２６】
図３は、本発明の他の実施形態を示す説明図である（前述と同様の箇所には同じ符号を付して重複説明を省略する）。この実施形態では、前述の特徴に加えて、第２の磁石１３は複数の磁石（図示の例では２つの磁石１３Ａ，１３Ｂ）を積層配置してなることを特徴とする。
【００２７】
この実施形態では、ポールピース１２とトッププレート１４との間に配置された第２の磁石１３全体の磁気特性が大きく低下するのを、第２の磁石１３を分割して配置することで抑止している。すなわち、第２の磁石１３を複数の磁石（１３Ａ，１３Ｂ，…）に分割して配置することで、熱伝達径路が分割面で遮断されることになるので、トッププレート１４に近い側の磁石（図示の例では磁石１３Ａ）に、ボイスコイルＶｃからポールピース１２を介して伝わる熱が伝わり難くなる。その結果、長時間にわたってボイスコイルを駆動した際、ボイスコイルＶｃから発せられるジュール熱がポールピース１２に伝わり続けたとしても、トッププレート１４側に配置される磁石１３Ａの温度が大きく上昇することはなく、この磁石１３Ａに関しては高温減磁の発生を抑止することができる。
【００２８】
したがって、仮に、ポールピース側に配置された磁石１３Ｂに高温減磁が発生したとしても、トッププレート１４側に配置される磁石１３Ａの高温減磁を抑止できるので、第２の磁石１３全体の磁気特性が大きく低下してしまうことを最小限に止めることができる。また、複数の磁石１３Ａ，１３Ｂ，…，間に接着剤が介在していたとしても、同様に接着剤層で熱の伝達径路を遮断できるので、第２の磁石１３全体の高温による磁気力低下を抑止することができる。
【００２９】
そして、複数の磁石１３Ａ，１３Ｂ，…，は、少なくともフェライト系磁石と希土類系磁石とを有することがより好ましい。この場合には、仮に希土類系磁石に高温減磁が生じ、その磁気特性が低下したとしても、複数の磁石が全て希土類系磁石である場合と比べて、第２の磁石１３全体としての磁気特性の低下が小さくなる。したがって、第２の磁石１３として異種材料の磁石を採用することで、スピーカの音響特性低下を最小限に抑えることができる。
【００３０】
図４は、本発明の他の実施形態を示す説明図である（前述と同様の箇所には同じ符号を付して重複説明を省略する）。この実施形態では、前述の特徴に加えて、第２の磁石１３の複数の磁石１３Ａ，１３Ｂ間には、金属層１７が配置されていることを特徴とする。
【００３１】
また、この金属層１７は、その熱伝導率が第２の磁石１３の熱伝導率より大きいことを特徴としており、更には、金属層１７の少なくとも１つは、その電気伝導率が第２の磁石１３の電気伝導率より大きいことを特徴としている。
【００３２】
これらの特徴によると、金属層１７の熱伝導率を大きくすることで、金属層１７での放熱を高め、前述した高温減磁を更に抑止できる。また、金属層１７の電気伝導率を大きくすることで、誘電電流の発生をさらに促進し、高調波歪を低減できる。
【００３３】
また、別の実施形態としては、前述の特徴に加えて、複数の磁石１３Ａ，１３Ｂ，…，のうち、少なくとも一つの磁石は、その表面に金属層が形成されていることを特徴とする。
【００３４】
これによると、金属層が形成された磁石の表面で熱伝導が大きくなり、磁石自体が蓄熱するのを防止することができる。さらに、ポールピース１２からトッププレート１４に熱が伝わる際のパスが多く形成されることになり、パスを長くすること、外部と接触する表面積を大きくすることによって、熱を輻射熱として放出しやすくなり、磁気回路の温度が高くなり難くなる。
【００３５】
また、全ての磁石を金属層で覆った場合には、ポールピース１２からトッププレート１４までの熱伝達径路を金属層によってバイパスさせることができ、磁石を加熱することなく、ポールピース１２からトッププレート１４に熱を伝えて、トッププレート１４から熱を輻射熱として放出することができる。これによっても、磁石の高温減磁の発生を抑制することができる。
【００３６】
図５は、本発明の他の実施形態を示す説明図である（前述と同様の箇所には同じ符号を付して重複説明を省略する）。この実施形態では、前述の特徴に加えて、第１の磁石１１が複数の磁石１１Ａ，１１Ｂを積層配置してなることを特徴とする。
【００３７】
第１の磁石１１を複数の磁石で積層配置した場合にも、第２の磁石１３における場合と同様に、磁石の高温減磁を低減でき、また、高調波歪みを低減できる。前述した第２の磁石１３に対した実施形態を第１の磁石１１に適用することができ、第１の磁石１１の複数の磁石間に金属層を配置しても良いし、第１の磁石１１の複数の磁石のうち、少なくとも一つの磁石の表面に金属層を形成しても良い。これらの場合にも、前述したような、高温減磁を低減でき、また、高調波歪みを低減できる。
【００３８】
図６は、前述した本発明の実施形態に係るスピーカ用磁気回路の一つを採用したスピーカの一例を示したものである。このスピーカは、底面部１０Ａと外周部１０Ｂとを有するヨーク１０と、底面部１０Ａ上に載置される第１の磁石１１と、第１の磁石１１上に載置されるポールピース１２と、ポールピース１２上に載置される第２の磁石１３（１３Ａ，１３Ｂ）と、第２の磁石１３上に載置されるトッププレート１４と、ヨーク１０の外周部１０Ｂ上に載置されるプレート１５とを備え、ポールピース１２の外周面とプレート１５の内周面間に磁気ギャップが形成される前述した磁気回路と、磁気ギャップ内に配置されるボイスコイルＶｃと、ボイスコイルＶｃによって駆動される振動体とを具備している。
【００３９】
振動体は、ここでは、ボイスコイルボビン１６、ボイスコイルボビン１６をフレーム２０に支持するダンパ２１、内周部がボイスコイルボビン１６に接続され外周部が振動板エッジ２２Ａを介してフレーム２０の外縁部２０Ａに接続される振動板２２からなる。ボイスコイルボビン１６内には第２の磁石１３（１３Ａ，１３Ｂ）が配置されることになるので、ボイスコイルボビン１６には放熱用の孔１６Ａを設けることが好ましい。
【００４０】
このようなスピーカによると、大きな音声電流を入力した場合に、ボイスコイルＶｃを入力電流値に応じて大きく振動させることができ、振動板２２から所望の出力音圧特性を得ることができる。また、前述したように高温減磁の発生を抑止できるので、連続駆動時又は高温環境下での駆動時に駆動力が低下することなく、良好な音響特性を提供することができる。更には、高周波歪みを低減することができ、異常振動の発生を抑制することができるので、音響特性の改善が可能になる。これらを総合して、本発明の実施形態に係るスピーカは、特に、大きな音を再生させる際、低域又は中域での音響特性を改善でき、高温耐久性も改善されていることから、ハイパワー対応が求められる車載用スピーカに好適である。
【００４１】
特に、第２の磁石１３を複数個積層させた場合、或いは第２の磁石１３の全ての表面に金属層を形成した場合には、長時間駆動の感度低下を１ｄＢ以下に抑えることが可能になり、高温減磁によるスピーカの性能低下を極力避けることができる。第２の磁石１３が１つであり、且つ第２の磁石１３の全ての表面に金属層を形成した場合には、長時間の感度低下が３ｄＢ以上も低下してしまう。
【００４２】
具体的には、次のように実験を行い、スピーカの感度を測定した。但し、実験に用いた第２の磁石は全て、その表面に金属層が形成されているものとする。無響音室にスピーカを設置し、２０Ｗの定格出力にてスピーカを駆動させ、スピーカ装置の初期の感度を測定した。次に、２０Ｗの定格出力で、且つピンクノイズを印加した状態で、スピーカを所定の時間（２４時間）駆動し続けた後に、初期の感度を測定した時と同様の方法にて、感度を測定した。その結果、第２の磁石が１つのスピーカの場合、初期の感度が約８３ｄＢであり、所定の時間だけ駆動した後での感度は約８０ｄＢであり、その差は３ｄＢであった。一方、第２の磁石が２つのスピーカに関し、初期の感度が約８３ｄＢであり、所定の時間だけ駆動した後での感度は約８２ｄＢであり、その差は１ｄＢであった。
【００４３】
図７は、第２の磁石１３が１つの場合（図７（ａ））と第２の磁石が２つの場合（図７（ｂ））で、いずれも磁石の表面に金属層を形成した場合における、スピーカ音響特性の一例を示したグラフである。なお、２次高調波歪み、３次高調波歪みは。３０ｄＢ加算されて示されている。
【００４４】
図から明らかなように、ウーファーとしての主要な再生周波数となる５０〜５００Ｈｚでの２次高調波歪み、３次高調波歪みを適度に低下させていることが分かる。また、５０〜５００Ｈｚにおいて、図７（ｂ）の測定結果は同条件の図７（ａ）の測定結果に比べて、２次高調波歪みが低下していることが分かる。このことから明らかなように、第２の磁石１３を複数積層させることで、２次高調波歪みを低減させることができる。
【図面の簡単な説明】
【００４５】
【図１】従来技術の説明図である。
【図２】本発明の一実施形態に係るスピーカ用磁気回路を示す説明図（同図（ａ）が全体断面図、同図（ｂ）が要部説明図）である。
【図３】本発明の他の実施形態を示す説明図である。
【図４】本発明の他の実施形態を示す説明図である。
【図５】本発明の他の実施形態を示す説明図である。
【図６】本発明の実施形態に係るスピーカ用磁気回路の一つを採用したスピーカの一例を示した説明図である。
【図７】本発明の実施形態におけるスピーカ音響特性の一例を示したグラフである。
【符号の説明】
【００４６】
１０  ヨーク，１０Ａ  底面部，１０Ｂ  外周部，
１１  第１の磁石，１２  ポールプレート，１３  第２の磁石，
１４  トッププレート，１５  プレート，１６  ボイスコイルボビン，
Ｖｃ  ボイスコイル，Ｇ  磁気ギャップ
【図１】
2008278235.tif 000003
【図２】
2008278235.tif 000004
【図３】
2008278235.tif 000005
【図４】
2008278235.tif 000006
【図５】
2008278235.tif 000007
【図６】
2008278235.tif 000008
【図７】
2008278235.tif 000009